(57)【特許請求の範囲】
【請求項１】
クリップ本体部と、前記クリップ本体部を支持するクリップ支持体との間で被挟持物を挟み込むようにした筆記具のクリップ構造であって、
後端が前記クリップ支持体に支持されている平板バネ形状の第１の弾性部と、
前記クリップ本体部の基端側と前記第１の弾性部の後端側とを連結するＵ字板バネ形状の第２の弾性部と、
前記第１の弾性部の前側を前記クリップ本体部に着脱自在に連結するジョイント部と、を備えたことを特徴とする筆記具のクリップ構造。
【請求項２】
前記クリップ本体部と、前記クリップ支持体に固定される土台部と、前記土台部にＵ字状の切欠きによって形成された前記第１の弾性部と、一端が前記土台部の後端に連結され、他端が前記クリップ本体部の後端に連結された前記第２の弾性部と、を有するクリップ構造体を備えたことを特徴とする請求項１記載の筆記具のクリップ構造。
【請求項３】
前記ジョイント部は、
前記第１の弾性部に立設された係止凸部と、
前記クリップ本体部に形成されると共に、前記係止凸部の遊端部が挿通し且つ嵌合して係止される係止穴と、からなることを特徴とする請求項１又は２記載の筆記具のクリップ構造。
【請求項４】
前記係止凸部は、前記第１の弾性部に基端が固定された柱部と、この柱部の遊端に設けられ、前記柱部より大径のボール部と、からなり、
前記係止穴は、前側に位置して前記ボール部の挿通を可能にする大係止穴と、前記大係止穴に連通すると共に、前記後側に位置して前記柱部の挿通を可能にする小係止穴と、からなることを特徴とする請求項３記載の筆記具のクリップ構造。
【請求項５】
前記係止穴は、前記クリップ本体部の表面から陥没してなる凹部の底面に配置され、前記凹部の前記底面は、前下がりの傾斜面として形成されていることを特徴とする請求項４に記載の筆記具のクリップ構造。
【発明の詳細な説明】
【技術分野】
【０００１】
本発明は、筆記具のキャップや軸筒などに適用されるクリップ構造に関するものである。
【背景技術】
【０００２】
従来、このような分野の技術として、特開２００６−１３０８００号公報がある。この公報に記載された筆記具のクリップ本体部は、軸筒の後端側で軸部によって連結され、コイルスプリングによって付勢されている。クリップ本体部と軸筒との間に配設したコイルスプリングによって、クリップ本体部の先端側は、通常使用状態で、筒体の外壁面側に弾発的に当接され、クリップ本体部の後端部を押し下げることで、軸部を中心とし、クリップ本体部の先端側を持ち上げることができる。
【先行技術文献】
【特許文献】
【０００３】
【特許文献１】特開２００６−１３０８００号公報
【発明の概要】
【発明が解決しようとする課題】
【０００４】
しかしながら、クリップ本体部は軸部によって揺動自在に軸支されているので、クリップ本体部を必要以上に大きく開かせると、クリップ本体部や軸部が破損するような事態が発生するといった問題点があった。
【０００５】
本発明は、クリップ本体部を揺動させるための軸部を無くしたタイプのクリップ構造であって、クリップ本体部の破損を防止することを目的とする。
【課題を解決するための手段】
【０００６】
本発明は、クリップ本体部と、クリップ本体部を支持するクリップ支持体との間で被挟持物を挟み込むようにした筆記具のクリップ構造であって、
後端がクリップ支持体に支持されている平板バネ形状の第１の弾性部と、
クリップ本体部の基端側と第１の弾性部の後端側とを連結するＵ字板バネ形状の第２の弾性部と、
第１の弾性部の前側をクリップ本体部に着脱自在に連結するジョイント部と、を備えたことを特徴とする。
【０００７】
この筆記具のクリップ構造においては、後端がクリップ支持体に支持されている平板バネ状の第１の弾性部によって、クリップ本体部にクリップ力を発揮させている。これによって、本発明のクリップ構造は、クリップ本体部を揺動させるための軸部を無くしている。さらに、ジョイント部によって、第１の弾性部の前側をクリップ本体部に着脱自在に連結しているので、クリップ本体部が必要以上に大きく開くと、第１の弾性部からクリップ本体部が外れ、これによって、クリップ本体部の破損が防止される。そして、第１の弾性部から外れたクリップ本体部は、Ｕ字板バネ状の第２の弾性部によって支持されているので、クリップ本体部が外れても、クリップ本体部が大きく開き過ぎることが無いので、外れたジョイント部を容易に元に戻すことができる。
【０００８】
また、クリップ本体部と、クリップ支持体に固定される土台部と、土台部にＵ字状の切欠きによって形成された第１の弾性部と、一端が土台部の後端に連結され、他端がクリップ本体部の後端に連結された第２の弾性部と、を有するクリップ構造体を備えると好適である。
このような構成にすると、クリップ構造体として部品化することができる。
【０００９】
また、ジョイント部は、第１の弾性部に立設された係止凸部と、クリップ本体部に形成されると共に、係止凸部の遊端部が挿通し且つ嵌合して係止される係止穴と、からなると好適である。
このような構成は、第２の弾性部によって第１の弾性部とクリップ本体部とが離間させられているクリップ構造に適している。
【００１０】
また、係止凸部は、第１の弾性部に基端が固定された柱部と、この柱部の遊端に設けられ、柱部より大径のボール部と、からなり、係止穴は、前側に位置してボール部の挿通を可能にする大係止穴と、大係止穴に連通すると共に、後側に位置して柱部の挿通を可能にする小係止穴と、からなると好適である。
このような構成を採用すると、ジョイント部の確実な着脱が可能になる。
【００１１】
また、係止穴は、クリップ本体部の表面から陥没してなる凹部の底面に配置され、凹部の底面は、前下がりの傾斜面として形成されていると好適である。
このような構成を採用すると、ジョイント部が外れるときに、ボール部を、凹部の底面に沿って滑るように、小係止穴から大係止穴に向かって移動させ易いので、大係止穴からボール部をスムーズ且つ確実に外すことができる。
【発明の効果】
【００１２】
本発明によれば、クリップ本体部を揺動させるための軸部を無くしたタイプのクリップ構造であって、クリップ本体部の破損を防止することができる。
【図面の簡単な説明】
【００１３】
【図１】本発明に係るクリップ構造を適用した筆記具の一実施形態を示す斜視図である。
【図２】クリップ本体部が外れた状態を示す斜視図である。
【図３】（ａ）はクリップ構造体を示す平面図、（ｂ）はIII−III線に沿う断面図ある。
【図４】クリップ構造体の要部拡大斜視図である。
【図５】通常使用状態のクリップ構造体を示す断面図である。
【図６】クリップ本体部が開いた状態を示す断面図である。
【図７】ジョイント部が外れた状態を示す断面図である。
【発明を実施するための形態】
【００１４】
以下、図面を参照しつつ本発明に係る筆記具のクリップ構造の好適な実施形態について詳細に説明する。なお、ペン先側を「前方側」として以下説明する。
【００１５】
図１及び図２に示すように、筆記具１は、軸筒（クリップ支持体）２を有し、この軸筒２内には中芯３が装填されている。そして、軸筒２の後部には、先端に玉部１１ａを有するクリップ本体部１１と、クリップ本体部１１を支持する軸筒２との間で被挟持物（例えば、本や雑誌など）を挟み込むように構成されたクリップ構造が採用されている。
【００１６】
図１〜図４に示すように、筆記具１において、軸筒２には、樹脂製又は金属製のクリップ構造体１０が固定されている。このクリップ構造体１０は、矩形の板状をなすクリップ本体部１１と、軸筒２に固定される矩形の板状をなす土台部１２と、土台部１２に形成されたＵ字状の切欠き部１２ａにより画成されたＵ字状の第１の弾性部１３と、一端が土台部１２の後端に連結され、他端がクリップ本体部１１の後端に連結された矩形の板状をなす第２の弾性部１４と、を有して、部品化されている。
【００１７】
クリップ構造体１０は、土台部１２と第２の弾性部１４とクリップ本体部１１とが連接された一枚の矩形の板状物Ｓの第２の弾性部１４をＵ字状に折り曲げ加工することで成形されている。そして、第１の弾性部１３と第２の弾性部１４は、所望の弾性力を発揮させるために薄肉化されており、第１の弾性部１３は平板バネ形状をなし、第２の弾性部１４は、Ｕ字状に癖付けされたＵ字板バネ形状をなしている。また、第１の弾性部１３は、第２の弾性部１４側が開放されたＵ字形状になっており、軸線Ｌに対して略直交する方向に弾性力を有している。
【００１８】
このクリップ構造体１０は、第１の弾性部１３の上方に位置するクリップ本体部１１と第１の弾性部１３の前側とを着脱自在に連結するためのジョイント部２０を備えている。このジョイント部２０は、第１の弾性部１３の上面側に立設された係止凸部２１と、クリップ本体部１１に形成されると共に、係止凸部２１の遊端部が挿通し且つ嵌合して係止される係止穴２２と、からなる。
【００１９】
ジョイント部２０の確実な着脱を可能にするための具体的な一例として、第１の弾性部１３に一体成形された係止凸部２１は、第１の弾性部１３の上面側に基端が固定された柱部２１ａと、この柱部２１ａの遊端に設けられ、柱部２１ａより大径のボール部２１ｂと、からなる。係止穴２２は、前側に位置してボール部２１ｂの挿通を可能にする大係止穴２２ａと、大係止穴２２ａに連通すると共に、後側に位置して柱部２１ａの挿通を可能にする小係止穴２２ｂと、からなる。
【００２０】
更に、大係止穴２２ａと小係止穴２２ｂとの間にクビレ部２２ｃが設けられている。柱部２１ａがクビレ部２２ｃを容易に通過できるように、クビレ部２２ｃの近傍には、クビレ部２２ｃを挟むように配置された抜き穴２２ｄが形成され、抜き穴２２ｄとクビレ部２２ｃとの間には略Ｖ字状の弾性片２２ｅが延在する。そして、柱部２１ａは、この弾性片２２ｅを弾性変形させながら、大係止穴２２ａと小係止穴２２ｂとの間を容易に移動させることができる。
【００２１】
このように構成されたクリップ構造体１０を軸筒２に組み込む場合、軸筒２に形成された凹部２３の後端からクリップ構造体１０の土台部１２が差し込まれ且つ圧入される。このようにして、クリップ構造体１０は軸筒２に固定される。
【００２２】
軸筒２にクリップ構造体１０を固定した後、図１及び図４に示すような状態のジョイント部２０では、先ず、大係止穴２２ａ内にボール部２１ｂを通過させ、その後、柱部２１ａを、クビレ部２２ｃを通って小係止穴２２ｂに移動させることで、組立てが完了する。このとき、第２の弾性部１４の弾性力によって、ボール部２１ｂにクリップ本体部１１が押し当てられた状態になり、ジョイント部２０の外れが防止される。
【００２３】
図２及び図５に示すように、通常使用状態にあっては、クリップ本体部１１の玉部１１ａは、第１の弾性部１３の弾性力によって当接状態を維持する。そして、図６に示すように、被挟持物（例えば、本や雑誌など）を挟み込む際、クリップ本体部１１には、第１の弾性部１３の弾性力によってクリップ力が発生する。そして、図７に示すように、クリップ本体部１１に必要以上の力が加わると、大係止穴２２ａからボール部２１ｂが外れて、クリップ本体部１１が解放される。
【００２４】
クリップ本体部１１の解放を容易にするために、この係止穴２２は、クリップ本体部１１の表（おもて）面から陥没してなる凹部２４の底面２４ａ（図４の斜線部分）に配置され、凹部２４の底面２４ａが、図５のように、前下がりの傾斜面として形成されている。
【００２５】
このような傾斜面２４ａを採用すると、ジョイント部２０が外れるときに、ボール部２１ｂを、凹部２４の傾斜面２４ａに沿って滑るように、小係止穴２２ｂから大係止穴２２ａに向かって移動させ易いので、大係止穴２２ａからボール部２１ｂをスムーズ且つ確実に外すことができる。
【００２６】
前述したクリップ構造においては、後端が軸筒２に支持されている平板バネ状の第１の弾性部１３によって、クリップ本体部１１にクリップ力を発揮させている。これによって、この筆記具１は、クリップ本体部１１を揺動させるための軸部を無くしている。さらに、ジョイント部２０によって、第１の弾性部１３の前側をクリップ本体部１１に着脱自在に連結しているので、クリップ本体部１１が必要以上に大きく開くと、第１の弾性部１３からクリップ本体部１１が外れ、これによって、クリップ本体部１１の破損が防止される。
【００２７】
そして、第１の弾性部１３から外れたクリップ本体部１１は、Ｕ字板バネ状の第２の弾性部１４によって支持されているので、クリップ本体部１１が外れても、クリップ本体部１１が大きく開き過ぎることが無いので、外れたジョイント部２０を容易に元に戻すことができる。
【００２８】
本発明は、前述した実施形態に限定されないことは言うまでもない。例えば、軸筒２としては、ペン先の保護や乾きを防止するために着脱自在なキャップであってもよい。また、クリップ構造体１０は、軸筒２に対して別体又は一体として形成可能である。
【符号の説明】
【００２９】
１…筆記具、２…軸筒（クリップ支持体）、１０…クリップ構造体、１１…クリップ本体部、１３…第１の弾性部、１４…第２の弾性部、２０…ジョイント部、２１…係止凸部、２２…係止穴、２１ａ…柱部、２１ｂ…ボール部、２２ａ…大係止穴、２２ｂ…小係止穴、２４…凹部、２４ａ…底面（傾斜面）、Ｌ…軸線。
【図１】
0005469560.tif 000002
【図２】
0005469560.tif 000003
【図３】
0005469560.tif 000004
【図４】
0005469560.tif 000005
【図５】
0005469560.tif 000006
【図６】
0005469560.tif 000007
【図７】
0005469560.tif 000008